(57)【要約】【課題】  樹木の生産から植込みまでだけでなく、植込み後の育成から撤去に到るまで一貫して使用可能であり、生産および運搬効率、作業効率の向上、ならびに、樹木への負担の低減が可能なコンテナを提供することを目的とする。【解決手段】  本発明にかかる樹木１０２の植栽・育成用コンテナ１００の代表的な構成は、略直方体である枠体１１０と、防根性を有する底面１３０と、生分解性を有する側壁１２０と、を備えることを特徴とする。【選択図】  図１
2009225689.tif 000002
【特許請求の範囲】
【請求項１】
枠体と、
防根性を有する底面と、
生分解性を有する側壁と、を備えることを特徴とする樹木の植栽・育成用コンテナ。
【請求項２】
前記枠体は、略直方体であることを特徴とする請求項１に記載の樹木の植栽・育成用コンテナ。
【請求項３】
前記枠体は、少なくとも縦枠が内部に空隙を有する通気通水管であって、
前記通気通水管は枠体の上端部において開口し、かつ多数の小孔を有することを特徴とする請求項１または２に記載の樹木の植栽・育成用コンテナ。
【請求項４】
前記枠体の側壁には、着脱可能な防根パネルを備えることを特徴とする請求項１から３までのいずれか１項に記載の樹木の植栽・育成用コンテナ。
【請求項５】
前記枠体の側面には、当該枠体を他の枠体と整列させた状態で固定させるための連結部を備えることを特徴とする請求項１から４までのいずれか１項に記載の樹木の植栽・育成用コンテナ。
【請求項６】
前記枠体の側面には、支柱を挿入して立設するための支柱環がほぼ水平方向に張り出して設けられていることを特徴とする請求項１から５までのいずれか１項に記載の樹木の植栽・育成用コンテナ。
【発明の詳細な説明】
【技術分野】
【０００１】
本発明は、樹木の生産から植込みまでだけでなく、植込み後の育成から撤去に到るまで一貫して使用可能なコンテナに関する。
【背景技術】
【０００２】
近年、都市中心部の気温が郊外の気温に比べて高くなる現象である、ヒートアイランド現象が問題とされている。かかるヒートアイランド現象の原因としては、空調システム、電気機器、燃焼機器、自動車などの人間活動より排出される人口排熱の増加、緑地・水面の減少および建築物・舗装面の増大による地表面の人工化が挙げられている。
【０００３】
上記ヒートアイランド現象への対策の一つとして、都市中心部の緑化が推進されている。植物は、体内の水分を水蒸気として体外に排出する現象である、蒸散を行っている。そして、植物から蒸散された水蒸気が気化する際、その気化熱によって周囲の温度を低下させる。このような効果を蒸散効果という。したがって、都市中心部の緑化を推進することにより、かかる蒸散効果によって気温を低下させ、ヒートアイランド現象を緩和するという試みが為されている。
【０００４】
一般に、人為的に植栽される樹木は、生産施設にて生産される。生産された樹木は、出荷に際して土中から掘り起こされる。このとき、土中に広がっている根は部分的に切断される（根回し）。そして、根回しによって切断された根との蒸散のバランスを保つため、樹木の枝部分の剪定を行う。
【０００５】
次に、運搬の際に根鉢が崩れないように、掘り起こした根の部分を根巻材で巻き上げ、根巻きされる。ここで、根鉢とは、根の部分に土を付けて掘り取られた根部であり、根鉢が崩れてしまうと、根が傷み衰弱してしまう。
【０００６】
その後、樹木を運搬しやすくするために、枝を縄等でまとめ、枝折る（しおる）。このように運搬用に処理された樹木は、植栽地まで運搬される。そして、あらかじめ土中に掘られた穴に根鉢を入れ、植栽（植え込み）される。
【０００７】
このような植栽に用いる樹木として、例えば特許文献１には、植栽基材中にネット材を埋設したコンテナ樹木が開示されている。特許文献１によれば、樹木の根がネット材に絡みつくため、根が十分に成育しなくても基材と一体構造を形成することができる。これにより、コンテナ樹木の早期出荷が可能であるとしている。
【０００８】
また特許文献２には、生分解性プラスチックで成形された植木鉢が開示されている。特許文献２によれば、植木鉢は土中でやがて分解して消失するため、植物を植木鉢ごと埋設することで植替え完了し、植物の根切れの発生による枯死を避け、植替え作業を簡単にして使用者側の省人化を達成するとともに、生産から出荷までの荷扱いの自動化を可能にして生産者側の省人化を達成できるとしている。
【特許文献１】特開平０９−２１５４５２号公報
【特許文献２】特開平０６−２７６８６２号公報
【発明の開示】
【発明が解決しようとする課題】
【０００９】
しかしながら、都市中心部には露出した地面が極めて少ない。ほとんどの土地には余すことなくビルや住宅が高効率に建設され、各区画に樹木を植えるために充分な面積をとる余裕はない。また都市中心部では土地利用者の移り変わりも頻繁であるため、植物も撤去を余儀なくされる場合もあり、大木が強固に根付いてしまうと撤去作業に過大な労力と費用がかかるという問題がある。これらのことから、都市中心部においては、狭小な面積にいかに効率よく植栽し、またその植栽および撤去作業をいかに軽減するかが課題となる。
【００１０】
特許文献１にかかるコンテナ樹木は、植栽の際にコンテナ内から抜き取られ、植栽地に植え込まれる。そして、植え込まれた樹木は植栽地にて育成される。かかる育成時において、樹木の根は成長方向を抑制されていないため、根は土中に縦横無尽に張りめぐる。また特許文献２にかかる植木鉢においても、植木鉢が消失した後は、植物が単に植栽されたことと同様の状態となる。
【００１１】
このとき、当該樹木の植栽地が、敷地面積が広く、土中の埋蔵構造物等がなく、育成後の樹木を撤去することがない場所であれば、樹木の根の成長による問題は生じない。しかしながら、都市中心部の植栽地では、土地利用者の移り変わりや建築物の建替等により、育成後の樹木が不要となった場合、樹木を撤去しなくてはならない。また当該樹木が枯死した場合においても、撤去の必要が生じる。このような樹木の撤去においては、土を深く掘り起こして土中に張りめぐった主根や直根を切断し、樹木を掘り起こさなければならず、撤去時に多大な労力が必要となる。また深く掘り起こすためには作業場所を広く取る必要があるが、住宅街やビル街などの狭小地では作業場所の確保が困難となるおそれがある。
【００１２】
更に、上述した都市中心部の植栽地では、建築物が狭小な植栽地に隣接して立ち並び、かかる建築物の基礎や水道管、ガス管等の配管が土中に多く埋設されている。すると、成長した根、特に樹木を中心として土中を円周方向に成長する側根によって、建築物の基礎に悪影響を与えたり、配管等が押し上げられて損傷するといった問題が生じる。
【００１３】
そこで本発明は、樹木の生産から植込みまでだけでなく、植込み後の育成から撤去に到るまで一貫して使用可能であり、生産および運搬効率の向上、ならびに、樹木への負担の低減が可能なコンテナを提供することを目的としている。
【課題を解決するための手段】
【００１４】
上記課題を解決するために、本発明にかかる樹木の植栽・育成用コンテナの代表的な構成は、枠体と、防根性を有する底面と、生分解性を有する側壁と、を備えることを特徴とする。
【００１５】
かかる構成により、土中に埋設されたコンテナの側壁は所定の年月が経過すると生分解され、消失する。したがって、樹木の根（側根）は土中において側壁方向に成長可能である。これにより、コンテナにて育成した樹木を、コンテナから抜きとることなく、コンテナごと植栽し、土中で更に育成することが可能となる。
【００１６】
また、上記構成によれば、樹木の生産から植栽において、樹木の根回しおよび剪定を行うことなく、植栽地に植栽することができる。これにより、根の切断や枝の剪定による樹木へのダメージを減少するため、植栽地における樹木の活着率を向上させることが可能となる。
【００１７】
かかる側壁には、生分解性メッシュシートおよび生分解性プレート、生分解性フィルム等を使用することができる。なお、当該生分解性材料は、生分解に要する期間が３〜５年程度である材料が好ましい。これは、樹木の育成から出荷および植栽までにかかる期間がおよそこの程度であり、側壁が出荷前に生分解によって消失すると、樹木の培地である土が散失してしまうからである。
【００１８】
また、枠体に対して生分解性の側壁を備えたことから、側壁が生分解した後も、枠体は土中に残留する。したがって樹木を撤去する際には、枠体を持ち上げてふるうことにより土を除去し、植物を容易に撤去することができる。そして、樹木の植栽および撤去のための運搬時においても、枠体を備えていることから耐荷重が高く、樹木を植え込んだままで運搬することができる。したがって広い作業場所を確保する必要がなく、狭小地における作業性を向上させることができる。
【００１９】
更に、枠体外に伸長した側根等の切除後は、上記のように樹木を植え込んだままコンテナ（枠体）ごと撤去（回収）することができるため、移設のための運搬時においても樹木の根回しや剪定等をする必要がなく、また、コンテナごと移設場所に植栽することも可能である。したがって、植栽地にて不要となった樹木への移設時のダメージを低減し、移設場所における樹木の活着率を向上させることができるため、撤去後の樹木を効率よく再利用することが可能である。
【００２０】
また、底面が防根性を有し、かつ生分解性を有しないことにより、植栽後の樹木の根、特に直根の成長方向を抑制することができる。これにより、直根の長さはコンテナの高さ以内となるため、成長後の樹木の撤去時には、土中をコンテナの高さまで掘り下げればよく、労力を軽減することができる。この点においても、広い作業場所を確保する必要がなく、狭小地における作業性を向上させることができる。
【００２１】
上記の底面は、プラスチック板等を枠体に嵌着することによって形成してもよい。これにより、適宜に底面の部材の材質等を変更することができる。また、かかる底面は、枠体と一体で成型されてもよい。これにより、生産コストを削減することが可能である。
【００２２】
更に、周辺土壌の水捌けが極めて悪い場合は、上記の底面に空孔を設けることもできる。これにより、コンテナ内部の水捌けを促進し、樹木の根腐れを防止することができる。
【００２３】
上記の枠体は、略直方体であるとよい。
【００２４】
かかる構成により、運搬時の省スペース化を図ることができる。また、都市中心部は狭小地が多く、植栽地においても面積が狭小である可能性がある。そのような場合、敷地の境界線に外構として、または建築物の外壁等に沿って植栽されることが想定される。したがって、コンテナの枠体が略直方体であることにより、これらのような帯状（線状）の狭小地に植栽ができ、限られた空間を有効利用することができる。
【００２５】
また、かかる形状により、複数のコンテナを隙間なく並設することができ、植栽地の面積を有効利用することが可能となる。さらに、上記形状により、樹木はほぼ等間隔に設置されることとなる。したがって、樹木間の間隔の計測等をすることなく、外観に優れた植栽を容易に行うことができる。
【００２６】
上記の枠体は、少なくとも縦枠が内部に空隙を有する通気通水管であって、通気通水管は枠体の上端部において開口し、かつ多数の小孔を有するとよい。
【００２７】
かかる構成により、土中の根へのエアレーション（通気）および灌水を容易に行うことができる。したがって、植栽後の樹木の育成における、エアレーションおよび灌水等のメンテナンスにかかる労力を低減し、また狭小地においても水と空気が不足することがない。したがって、植栽後も良好に育成を行うことができると共に、管理工程の簡略化を図ることが可能となる。
【００２８】
例えば、枠体の上端部の開口に水を注ぎ込むと、かかる水は通気通水管内部の空隙に流入する。そして、水はかかる空隙から多数の小孔を通じてコンテナ内の培地である土に供給される。これにより、コンテナ内の樹木の根に灌水することができる。
【００２９】
上記の通気通水管としては、金属製またはプラスチック製等の中空管を用いることができる。これにより、枠体内に容易に空気を送入または水を注入することが可能となる。
【００３０】
また、かかる中空管内部に、毛細管状素材や多孔質素材を充填することができる。かかる多孔質材料や毛細管状素材は、多数の小孔を有している。例えば、通気通水管として中空管を用い、中空管内部に多孔質材料である軽石を充填することにより、通気通水管の水の保持力が向上する。したがって、コンテナ内の培地である土に、緩やかに水を浸透させることが可能となる。
【００３１】
更に、上記の通気通水管の他の例として、当該通気通水管自体を軽石等の多孔質材料や毛細管状素材で形成することもできる。これにより、枠体全体にエアレーションおよび灌水の機能を備えさせることが可能となる。例えば、通気通水管自体を軽石で形成し、枠体全体にエアレーションおよび灌水の機能を備えさせ、かかる通気通水管を不織布やメッシュシート等で被包することにより、通気通水管の空隙および小孔への土の侵入を防止することができる。
【００３２】
上記の枠体の側壁には、着脱可能な防根パネルを備えるとよい。
【００３３】
かかる構成により、樹木の根、特に側根の成長方向を抑制することが可能となる。例えば、植栽地において、コンテナの設置箇所付近に配管等がある場合、配管等に隣接する側壁に防根パネルを装着することにより、かかる側壁方向への側根の成長方向を抑制することができる。すなわち至近距離に土中埋設物の存在が予測される狭小地において、根の成長方向を制御することにより、植物による土中埋設物に対する影響を排除することができる。
【００３４】
上記の枠体の側面には、当該枠体を他の枠体と整列させた状態で固定させるための連結部を備えるとよい。
【００３５】
かかる構成により、複数のコンテナを並設する際、掘削した溝（穴）の形状が多少不規則であったとしても、当該複数のコンテナの位置を容易に揃えることができ、整列させることが可能となる。なお、当該連結部は枠体と一体成型してもよい。これにより、当該連結部の強度を向上させることができる。また、当該連結部は、枠体とは別部材とすることも可能である。これにより、必要に応じて当該連結部を枠体に着脱可能となる。
【００３６】
上記の枠体の側面には、支柱を挿入して立設するための支柱環がほぼ水平方向に張り出して設けられているとよい。
【００３７】
かかる構成により、樹木を支えるための支柱を、コンテナに容易に固定することができる。これにより、自立が不安定である樹木の傾倒を防止することが可能となる。なお、当該支柱環は枠体と一体成型してもよい。これにより、当該支柱環の強度を向上させることができる。また、当該支柱環は、枠体とは別部材とすることも可能である。これにより、必要に応じて当該支柱環を枠体に着脱可能となる。
【発明の効果】
【００３８】
本発明によれば、樹木の生産から植込みまでだけでなく、植込み後の育成から撤去に到るまで一貫して使用可能であり、生産および運搬効率の向上、ならびに、樹木への負担の低減が可能なコンテナを提供することができる。
【発明を実施するための最良の形態】
【００３９】
以下に添付図面を参照しながら、本発明の好適な実施形態について説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に関係のない要素は図示を省略する。
【００４０】
［第１実施形態］
図１は、第１実施形態にかかるコンテナを説明する図である。図１（ａ）は、第１実施形態にかかるコンテナの外観図であり、図１（ｂ）は、付属品を取り付けた第１実施形態にかかるコンテナの外観図である。図２は、第１実施形態にかかるコンテナの構造を説明する図であり、図２（ａ）は樹木が植え込まれたコンテナ、図２（ｂ）はコンテナのＡ−Ａ断面図、図２（ｃ）はコンテナのＢ−Ｂ断面図である。
【００４１】
コンテナ１００は、枠体１１０と、生分解性を有する側壁１２０と、防根性を有する底面１３０（図２（ｂ）参照）とを備えている。また枠体１１０は、防根パネル１４０を取り付けるためのパネルガイド１４２と、枠体同士を連結するための連結部１５０とを備えている。さらに当該コンテナ１００には、防根パネル１４０と、支柱を挿入して立設するための支柱環アタッチメント１６２、枠体１１０の上部の開口部を封止するための端部キャップ１１４を取り付けることができる。コンテナ１００には、培地である土１０４が投入され、樹木１０２が植え込まれ育成され（図２（ａ）参照）、樹木１０２の根１０２ａは土１０４中で成長する（図２（ｂ）参照）。
【００４２】
枠体１１０は金属または合成樹脂などの剛体で構成されている。これによりコンテナ１００は、耐荷重が高く、樹木を植え込んだまま運搬することが可能である。
【００４３】
枠体１１０は略直方体であり、すなわちコンテナ１００の外形は略直方体となっている。これにより、育成時および運搬時の省スペース化を図ることができる。また、都市中心部の狭小な植栽地における植栽作業において、狭小なスペースで作業が可能であり、狭小地における作業性の向上が可能である。
【００４４】
更に、都市中心部の植栽地においては、樹木１０２（コンテナ１００）は敷地の境界線（外構）または建築物の外壁等に沿って、帯状（線状）の狭小地に植栽されることが想定される。このような場合においても、コンテナ１００が略直方体であることから、かかる帯状（線状）の狭小地の限られた空間を有効利用することが可能である。
【００４５】
また、コンテナ１００が略直方体であることから、複数のコンテナ１００を隙間なく並設するでき、植栽地の面積を有効利用が可能となる。そして、これにより、樹木１０２はほぼ等間隔に設置されるため、外観に優れた植栽を容易に行うことができる。
【００４６】
枠体１１０は、少なくとも縦枠が、内部に空隙を有する通気通水管（エアレーションパイプ）で構成されている。かかる通気通水管は上端部に開口部１１２を有し、土中に多数の小孔１１６を有している（図２（ｃ）参照）。上記構成により、開口部１１２から送入した空気および注入された水は通気通水管内部の空隙に流入し、かかる空隙から多数の小孔１１６を通じてコンテナ内の土１０４に供給される。したがって、土１０４中の根１０２ａへのエアレーションおよび灌水を容易に行うことができる。また、枠体１１０の横枠も通気通水管とし、縦枠と連通させることにより、土１０４中の根１０２ａへのエアレーションおよび灌水をより効率的に行うことが可能となる。
【００４７】
その結果、植栽後の樹木１０２の育成における、エアレーションおよび灌水等のメンテナンスにかかる労力を低減することが可能となる。また、これにより、狭小地においても樹木１０２へ水と空気が十分に供給されるため、植栽後の樹木１０２も良好に成育できると共に、管理工程の簡略化を図ることが可能となる。
【００４８】
更に、上記の開口部１１２には端部キャップ１１４を装着することができる。これにより、開口部１１２から枠体１１０（通気通水管）の空隙への土１０４や塵埃の侵入を防止することができ、枠体１１０の詰まりを回避することができる。
【００４９】
なお、第１実施形態においては、当該通気通水管の中空部分に多孔質材料である軽石１１８が充填されている（図２（ｃ）参照）。これにより、通気通水管の水の保持力が向上し、コンテナ内の培地である土に、緩やかに水を浸透させることが可能となる。
【００５０】
側壁１２０は、生分解性を有する生分解性メッシュシートで構成されている。したがって、コンテナ１００が土中に埋設されると、側壁１２０は生分解され、所定の年月が経過すると消失する。これにより、樹木１０２の根（側根）は土中において側壁方向に成長可能であり、コンテナ１００にて育成した樹木１０２を、コンテナ１００ごと植栽し、土中で更に育成することができる。
【００５１】
したがって、樹木１０２はコンテナ１００内に植えたままで育成から運搬、植栽作業まで行うことができる。すなわち、コンテナ１００ごと植栽できるため、樹木１０２の出荷時に根回しおよび剪定を行う必要がない。また、コンテナ１００内で樹木１０２を育成することにより、樹木１０２の根は略直方体の枠体１１０の内部に納まる範囲で成長することからも、樹木１０２の根を刈る必要がない。これにより、根の切断や枝の剪定による樹木１０２へのダメージを減少し、植栽地における樹木１０２の活着率を向上させることができる。
【００５２】
側壁１２０には、生分解性プレート、生分解性フィルム等の生分解性材料を使用してもよい。側壁１２０に使用する生分解性材料は、３〜５年程度で生分解するとよい。これは、樹木の育成から出荷および植栽までにかかる期間がおよそこの程度だからである。側壁１２０が出荷前に生分解によって消失すると、樹木１０２の培地である土が散失してしまう。
【００５３】
上記の構成により、土中に埋設されたコンテナ１００は、所定の年月が経過すると側壁１２０は生分解により消失し、枠体１１０が土中に残留する。したがって、樹木１０２の撤去時には、枠体１１０を持ち上げてふるうことにより土を除去し、樹木１０２を容易に撤去することができる。
【００５４】
底面１３０は、非生分解性材料で構成され、防根性を有する。かかる構成により、植栽後の樹木１０２の根、特に直根の成長方向を抑制することができる。したがって、成長後の直根の長さはコンテナの高さ以内となり、樹木１０２の撤去時における掘削の労力を軽減できる。また、これにより、作業場所の確保が難しい狭小地においても、作業性を向上させることが可能である。
【００５５】
底面１３０は、枠体１１０が合成樹脂によって形成される場合には、枠体１１０と一体成型することができる。これにより、生産コストを削減できる。底面１３０は、枠体１１０が鉄などの金属である場合には、枠体１１０と別部材としてもよく、プラスチック板等を底面１３０とし、枠体１１０に嵌着してもよい。これにより、適宜に底面１３０の材質等を変更可能である。また、周辺土壌の水捌けが極めて悪い場合は、底面１３０に空孔を設けることにより、コンテナ１００内部の水捌けを促進し、樹木の根腐れを防止することもできる。
【００５６】
枠体１１０の側面には、防根パネル１４０を挿入し保持するためのパネルガイド１４２を備えている。これにより、枠体１１０の側壁１２０に防根パネル１４０を着脱可能となる。都市中心部の狭小な植栽地においては、コンテナ１００の設置箇所付近に配管等の土中埋設物の存在が予測される。しかし、配管等に隣接する側壁に防根パネルを装着することにより、側壁１２０が生分解した後も、当該防根パネル１４０を配置した方向への側根の成長を抑制し、植物による土中埋設物に対する影響を排除することができる。
【００５７】
上記の防根パネル１４０は、非生分解性材料等の防根性を有する材料であればよく、例えば、プラスチック板や鉄板等を要求される強度に応じて使い分けることが可能である。なお、第１実施形態において、パネルガイド１４２は枠体１１０と一体成型されているが、これに限定されるものではなく、パネルガイド１４２を別部材としてもよい。別部材とすれば枠体１１０の形状の簡略化を図ることができ、一体成形とすればパネルガイド１４２の強度を得ることができる。
【００５８】
また、枠体１１０の側面には、当該枠体１１０を他の枠体１１０と整列させた状態で固定させるための連結部１５０を備えている。連結部１５０は本実施形態では突出した板に穴を設けた構造であり、隣接するコンテナ１００の連結部１５０を並べた状態でボルト締めしたり、バインド線でしばったりすることによって連結することができる。かかる構成により、複数の枠体１１０すなわちコンテナ１００を並設する際、コンテナ１００の位置を容易に揃え、整列させることが可能となる。
【００５９】
なお、第１実施形態において、連結部１５０は枠体１１０と一体成型されている。これにより、連結部１５０の強度を向上させることができる。また、連結部１５０は枠体１１０とは別部材とすることも可能であり、これにより、必要に応じて連結部１５０を枠体１１０に着脱可能となる。
【００６０】
更に、枠体１１０の側面には、支柱を挿入して立設する支柱環としての支柱環アタッチメント１６２を装着することができる。枠体１１０に装着された支柱環アタッチメント１６２は、支柱環である環状部分が枠体１１０に対してほぼ水平方向に張り出した状態となる。これにより、かかる環状部分に、樹木１０２を支えるための支柱を挿入し、コンテナ１００に容易に固定可能となる。したがって、自立が不安定である樹木の傾倒を防止することができる。
【００６１】
なお、第１実施形態においては、支柱環を支柱環アタッチメント１６２として枠体１１０とは別部材としている。これにより、必要に応じて支柱環アタッチメント１６２を枠体に着脱可能となる。また、支柱環は枠体１１０と一体成型してもよく、これにより、支柱環の強度を向上させることができる。
【００６２】
図３は、樹木の生産から撤去までの工程を説明する図である。植栽地に植栽される樹木１０２は、生産施設（図示せず）にてコンテナ１００内で育成されて生産される（生産工程）。そして、出荷可能な状態まで成長した樹木１０２は、トラック等によって植栽地に運搬される（運搬工程）。このとき、コンテナ１００が略直方体であるため、トラック等に積載される際の省スペース化を図ることができる。
【００６３】
植栽地に運搬された樹木１０２は、コンテナ１００ごと土中に植え込まれる（植込工程）。植え込まれた樹木１０２は、エアレーションおよび灌水等のメンテナンスをされることにより、成長する（管理工程）。この管理工程における樹木の育成中に、コンテナ１００の側壁１２０は生分解され、所定の年月が経過すると消失する。したがって、樹木１０２の根１０２ａのうち、側根は側壁方向に成長する。しかし、底面１３０は消失しないため、直根の成長方向は抑制され、成長後の直根の長さはコンテナの高さ以内となる。
【００６４】
育成後の樹木１０２が不要となった場合、または枯死した場合、当該樹木の撤去を行う（撤去工程）。このとき、管理工程において直根の成長方向を抑制しておいたことにより、直根の長さはコンテナ１００の高さ以内であるため、撤去工程時はコンテナの高さまで掘削すればよい。したがって、撤去工程時の掘削の労力を軽減することができる。
【００６５】
また、上記の撤去工程において、枠体外に伸長した側根等の切除後は、樹木１０２を植え込んだままコンテナ（枠体）ごと撤去することができるため、移設時の運搬のための根回しや剪定等をする必要がなく、コンテナ１００ごと移設場所に植栽することも可能である。したがって、植栽地にて不要となった樹木１０２への移設時のダメージを低減し、移設場所における樹木１０２の活着率を向上させ、撤去後の樹木１０２を効率よく再利用することができる。
【００６６】
図４は、植込工程の詳細を説明する図である。図４（ａ）は、植栽地の詳細を説明する図である。図４（ａ）の植栽地は、敷地の境界線の外構であるブロック塀２０２を撤去した後の帯状（線状）の狭小地である。かかる植栽地において、まず、ブロック塀２０２およびその基礎２０４を砕壊し、土中をコンテナ１００の高さまで掘削する。
【００６７】
そして、掘削した土中にコンテナ１００を埋設する。なお、当該植栽地においては、建築物２００および配管２０６が既設されているため、コンテナ１００のこれらに隣接する面には防根パネル１４０を装着する。これにより、かかる面方向への側根（根１０２ａ）の成長を抑制し、建築物２００および配管２０６へ及ぼす影響を排除することができる。また、コンテナ１００が略直方体であるため、図４（ａ）のような狭小な植栽地においても、空間を有効利用することができる。
【００６８】
図４（ｂ）は、樹木への添え木を説明する図である。樹木１０２に添え木をする際には、まず支柱環アタッチメント１６２の支柱環部分に支柱２０８を挿入する。次に、かかる支柱２０８に添木２１０を縄等で拘止する。そして、添木２１０に樹木１０２の幹部分を拘止することにより、添え木をする。これにより、自立が不安定である樹木１０２の傾倒を防止することができる。
【００６９】
［第２実施形態］
図５は、第２実施形態にかかるコンテナを説明する図である。図５（ａ）は、第２実施形態にかかるコンテナの外観図であり、図５（ｂ）は、付属品を取り付けた第２実施形態にかかるコンテナの外観図である。なお、第２実施形態において第１実施形態と実質的に等しい構成については、同一の符号を付することにより説明を省略する。
【００７０】
枠体１１０の側面には、支柱２０８を挿入して立設するための支柱環１６０がほぼ水平方向に張り出して設けられている。これにより、支柱環１６０に、樹木１０２を支えるための支柱を挿入することができる。したがって、支柱２０８をコンテナ１００に固定し、添木２１０を支柱２０８に拘止することが可能となる。これにより、樹木１０２への添木をすることができ、当該樹木１０２の傾倒を防止することが可能である。このように、かかる支柱環１６０を枠体１１０と一体成型することにより、支柱環１６０の強度を向上する。
【００７１】
更に、枠体１１０の側面には、当該枠体１１０を他の枠体１１０と整列させた状態で固定させるための連結アタッチメント１５２を装着することができる。かかる構成により、複数の枠体１１０（コンテナ１００）の並設時に、コンテナ１００の位置を容易に揃え、整列させることが可能となる。このように、連結アタッチメント１５２を枠体１１０と別部材とすることにより、必要に応じて着脱することができる。また、当該連結アタッチメント１５２の材質を枠体１１０と異なる材質にすることも可能である。
【００７２】
図６は、コンテナへの杭打ちを説明する図である。図６（ａ）は、杭打ちをしたコンテナ、図６（ｂ）は、かかるコンテナを埋設した図である。図６（ａ）に示すように、支柱環１６０には杭１７０を打ち込むことができる。杭１７０としては、金属製またはプラスチック製アンカー等を用いることができ、求められる強度に応じて適宜に材質を変更可能である。
【００７３】
図６（ｂ）に示すように、コンテナ１００を掘削した土中に埋設し、支柱環１６０を通して杭１７０を土中深くに打ち込むことにより、コンテナ１００と一体となった樹木１０２の傾倒を防止できる。このような杭打ちは、樹木１０２の根鉢重量が大きい場合に特に有効である。また、杭打ちは、樹木１０２の植栽場所に埋蔵構造物等がない場合に行うことができ、埋蔵構造物等がある場合には、杭１７０の長さの調整が必要である。なお、支柱環アタッチメント１６２も同様に杭打ちに使用することができる。
【００７４】
［他の実施形態］
図７は、他の実施形態にかかるコンテナを説明する図である。図７（ａ）、（ｂ）の実施形態において、第１実施形態および第２実施形態と実質的に等しい構成については、同一の符号を付することにより説明を省略する。なお、各部の機能については、第１実施形態および第２実施形態と実質的に同様である。
【００７５】
図７（ａ）に示すコンテナ３００は、枠体３１０およびパネルガイド１４２、連結部１５０に、金属製のアングル材および板材が用いられている。このように金属製のアングル材および板材を組み合わせて構成されるコンテナ３００は、高い剛性と耐荷重を得ることができる。また、溶接して構成することにより高い剛性を得ることができるが、組み立て式とすることにより使用前の運搬および収納にかかるスペースを削減することができる。
【００７６】
図７（ａ）のコンテナ３００は、枠体３１０に通気通水管２２０（エアレーションパイプ）が備えられている。かかる通気通水管２２０は、自体が軽石で形成されている。これにより、通気通水管２２０がエアレーションおよび灌水の機能を備えることができる。そして、自体が軽石である通気通水管２２０をメッシュシートによって被包することにより、軽石（通気通水管２２０）の空隙および小孔への土の侵入を防止可能である。
【００７７】
上記構成により、通気通水管２２０に送入した空気および注入された水は、コンテナ内の土１０４に供給される。したがって、土１０４中の根１０２ａへのエアレーションおよび灌水を容易に行うことができる。その結果、エアレーションおよび灌水等のメンテナンスの労力を低減できる。また、狭小地においても樹木１０２へ水と空気が十分に供給されるため、植栽後の樹木１０２も良好に成育できると共に、管理工程の簡略化を図れる。
【００７８】
図７（ｂ）に示すコンテナ４００は、枠体４１０が略円筒形となっている。このように構成することによっても、コンテナ４００内で樹木１０２を生産し、コンテナ４００ごと植栽して直根および側根の成長を制御しながら育成し、コンテナ４００ごと撤去することができる。また定形であることから運搬および植栽時においてもスペースの削減が可能であり、狭小地における植栽に適している。
【００７９】
上記説明したように、本発明によれば、コンテナ１００内で生産した樹木１０２を、コンテナ１００ごと植栽地に植栽することができる。そして、植栽後も土中に埋設されたコンテナ１００において育成し、撤去に到るまで一貫してコンテナ１００を使用することが可能である。したがって、生産および運搬効率の向上、ならびに、樹木への負担を低減することができる。
【００８０】
以上、添付図面を参照しながら本発明の好適な実施形態について説明したが、本発明はかかる実施形態に限定されないことは言うまでもない、当業者であれば、特許請求の範囲内に記載された範疇内において、各種の変更例または修正例に想到し得ることは明らかであり、それらについても当然に本発明の技術的範囲に属するものと了解される。
【産業上の利用可能性】
【００８１】
本発明は、樹木の生産から植込みまでだけでなく、植込み後の育成から撤去に到るまで一貫して使用可能なコンテナとして利用することができる。
【図面の簡単な説明】
【００８２】
【図１】第１実施形態にかかるコンテナを説明する図である。
【図２】第１実施形態にかかるコンテナの構造を説明する図である。
【図３】樹木の生産から撤去までの工程を説明する図である。
【図４】植込工程の詳細を説明する図である。
【図５】第２実施形態にかかるコンテナを説明する図である。
【図６】コンテナへの杭打ちを説明する図である。
【図７】他の実施形態にかかるコンテナを説明する図である。
【符号の説明】
【００８３】
１００、３００、４００…コンテナ、１０２…樹木、１０２ａ…根、１０４…土、１１０、３１０、４１０…枠体、１１２…開口部、１１４…端部キャップ、１１６…小孔、１１８…軽石、１２０…側壁、１３０…底面、１４０…防根パネル、１４２…パネルガイド、１５０…連結部、１５２…連結アタッチメント、１６０…支柱環、１６２…支柱環アタッチメント、１７０…杭、２００…建築物、２０２…ブロック塀、２０４…基礎、２０６…配管、２０８…支柱、２１０…添木、２２０…通気通水管
【図１】
2009225689.tif 000003
【図２】
2009225689.tif 000004
【図３】
2009225689.tif 000005
【図４】
2009225689.tif 000006
【図５】
2009225689.tif 000007
【図６】
2009225689.tif 000008
【図７】
2009225689.tif 000009